(57)【要約】【課題】拡張されたアンテナポート数に対応可能なＣＳＩ−ＲＳの構成を実現することを目的とする。【解決手段】複数のアンテナポートを用いて移動局と通信する基地局は、所定数以下のアンテナポートについて規定されたチャネル状態情報測定用の参照信号のマッピングをリソースブロック内で組み合わせることにより、複数のアンテナポートについてチャネル状態情報測定用の参照信号のマッピングを生成し、生成されたマッピングを示す情報を移動局に通知するマッピング情報通知部と、生成されたマッピングに従ってチャネル状態情報測定用の参照信号をリソースブロック内のリソースエレメントに多重する多重部と、チャネル状態情報測定用の参照信号を送信する送信部とを有する。【選択図】図４
2015070335.tif 000002
【特許請求の範囲】
【請求項１】
複数のアンテナポートを用いて移動局と通信する基地局であって、
所定数以下のアンテナポートについて規定されたチャネル状態情報測定用の参照信号のマッピングをリソースブロック内で組み合わせることにより、複数のアンテナポートについてチャネル状態情報測定用の参照信号のマッピングを生成し、生成されたマッピングを示す情報を移動局に通知するマッピング情報通知部と、
生成されたマッピングに従ってチャネル状態情報測定用の参照信号をリソースブロック内のリソースエレメントに多重する多重部と、
チャネル状態情報測定用の参照信号を送信する送信部と、
を有する基地局。
【請求項２】
複数のアンテナポートを用いて移動局と通信する基地局であって、
複数のアンテナポートを基準となるアンテナポートの数に基づいて所定数のグループに分割し、基準となるアンテナポートについて規定されたチャネル状態情報測定用の参照信号のマッピングをサブフレーム又はリソースブロックによって異なるグループのチャネル状態情報測定用の参照信号に使用することにより、複数のアンテナポートのチャネル状態情報測定用の参照信号のマッピングを生成し、生成されたマッピングを示す情報を移動局に通知するマッピング情報通知部と、
生成されたマッピングに従ってチャネル状態情報測定用の参照信号をサブフレーム又はリソースブロックに多重する多重部と、
チャネル状態情報測定用の参照信号を送信する送信部と、
を有する基地局。
【請求項３】
複数のアンテナポートを有する基地局と通信する移動局であって、
所定数以下のアンテナポートについて規定されたチャネル状態情報測定用の参照信号のマッピングをリソースブロック内で組み合わせることにより生成された、複数のアンテナポートのチャネル状態情報測定用の参照信号のマッピングを示す情報を受信するマッピング情報受信部と、
受信したマッピングを示す情報に基づいて、チャネル状態情報測定用の参照信号を抽出する参照信号抽出部と、
抽出された参照信号を用いてチャネル状態情報を生成するチャネル状態情報生成部と、
生成されたチャネル状態情報を送信する送信部と、
を有する移動局。
【請求項４】
複数のアンテナポートを有する基地局と通信する移動局であって、
複数のアンテナポートを基準となるアンテナポートの数に基づいて所定数のグループに分割し、基準となるアンテナポートについて規定されたチャネル状態情報測定用の参照信号のマッピングをサブフレーム又はリソースブロックによって異なるグループのチャネル状態情報測定用の参照信号に使用することにより生成された、複数のアンテナポートのチャネル状態情報測定用の参照信号のマッピングを示す情報を受信するマッピング情報受信部と、
受信したマッピングを示す情報に基づいて、チャネル状態情報測定用の参照信号を抽出する参照信号抽出部と、
抽出された参照信号を用いてチャネル状態情報を生成するチャネル状態情報生成部と、
生成されたチャネル状態情報を送信する送信部と、
を有する移動局。
【請求項５】
複数のアンテナポートを用いて移動局と通信する基地局における参照信号送信方法であって、
所定数以下のアンテナポートについて規定されたチャネル状態情報測定用の参照信号のマッピングをリソースブロック内で組み合わせることにより、複数のアンテナポートについてチャネル状態情報測定用の参照信号のマッピングを生成し、生成されたマッピングを示す情報を移動局に通知するステップと、
生成されたマッピングに従ってチャネル状態情報測定用の参照信号をリソースブロック内のリソースエレメントに多重するステップと、
チャネル状態情報測定用の参照信号を送信するステップと、
を有する参照信号送信方法。
【請求項６】
複数のアンテナポートを用いて移動局と通信する基地局における参照信号送信方法であって、
複数のアンテナポートを基準となるアンテナポートの数に基づいて所定数のグループに分割し、基準となるアンテナポートについて規定されたチャネル状態情報測定用の参照信号のマッピングをサブフレーム又はリソースブロックによって異なるグループのチャネル状態情報測定用の参照信号に使用することにより、複数のアンテナポートのチャネル状態情報測定用の参照信号のマッピングを生成し、生成されたマッピングを示す情報を移動局に通知するステップと、
生成されたマッピングに従ってチャネル状態情報測定用の参照信号をサブフレーム又はリソースブロックに多重するステップと、
チャネル状態情報測定用の参照信号を送信するステップと、
を有する参照信号送信方法。
【請求項７】
複数のアンテナポートを有する基地局と通信する移動局におけるチャネル品質測定方法であって、
所定数以下のアンテナポートについて規定されたチャネル状態情報測定用の参照信号のマッピングをリソースブロック内で組み合わせることにより生成された、複数のアンテナポートのチャネル状態情報測定用の参照信号のマッピングを示す情報を受信するステップと、
受信したマッピングを示す情報に基づいて、チャネル状態情報測定用の参照信号を抽出するステップと、
抽出された参照信号を用いてチャネル品質を測定するステップと、
を有するチャネル品質測定方法。
【請求項８】
複数のアンテナポートを有する基地局と通信する移動局におけるチャネル品質測定方法であって、
複数のアンテナポートを基準となるアンテナポートの数に基づいて所定数のグループに分割し、基準となるアンテナポートについて規定されたチャネル状態情報測定用の参照信号のマッピングをサブフレーム又はリソースブロックによって異なるグループのチャネル状態情報測定用の参照信号に使用することにより生成された、複数のアンテナポートのチャネル状態情報測定用の参照信号のマッピングを示す情報を受信するステップと、
受信したマッピングを示す情報に基づいて、チャネル状態情報測定用の参照信号を抽出するステップと、
抽出された参照信号を用いてチャネル品質を測定するステップと、
を有するチャネル品質測定方法。
【発明の詳細な説明】
【技術分野】
【０００１】
本発明は、基地局、移動局、参照信号送信方法及びチャネル品質測定方法に関する。
【背景技術】
【０００２】
３ＧＰＰ（Third Generation Partnership Project）標準のリリース８〜１１では、基地局のアンテナポート（ＡＰ：Antenna Port）を横方向に複数配置する事を想定し、水平方向のビームフォーミングを行う技術が採用されている。
【０００３】
３ＧＰＰ標準のリリース１２においては、縦方向と横方向等に２次元配置した複数のアンテナ素子を基地局に搭載し、水平方向に加えて垂直方向にビームを形成する３次元ＭＩＭＯ（３Ｄ−ＭＩＭＯ：Three Dimensional Multiple Input Multiple Output）が検討されつつある。垂直方向と水平方向にビームを形成することによって、システム特性の改善が期待される。
【０００４】
３ＧＰＰ標準化上は、アンテナポート数が８以下の場合の３Ｄ−ＭＩＭＯを垂直ビームフォーミングと称し、アンテナポート数が８より大きい場合（１６、３２、６４…など）を、ＦＤ−ＭＩＭＯ（Full Dimension-MIMO）と称している。ＦＤ−ＭＩＭＯはＭａｓｓｉｖｅ  ＭＩＭＯと呼ばれることが多い。
【０００５】
Ｍａｓｓｉｖｅ  ＭＩＭＯは、非常に多くの基地局アンテナ素子を用いて鋭いビームを形成することによって周波数利用効率を改善することができる。
【０００６】
また、３ＧＰＰ標準のリリース１０では、アンテナポート数が８以下の場合のチャネル状態情報（ＣＳＩ：Channel State Information）測定用の参照信号（ＣＳＩ−ＲＳ：Reference Signal for CSI measurement）が規定されている（非特許文献１及び２参照）。図１に、アンテナポート数が８以下の場合のＣＳＩ−ＲＳのマッピング例を示す。ＣＳＩ−ＲＳのオーバーヘッドを低減するために、周波数領域では、１リソースブロック（ＲＢ：Resource Block）内に１アンテナポート当たり１リソースエレメント（ＲＥ：Resource Element）が割り当てられている。また、時間領域では、５、１０、２０、４０又は８０ミリ秒の送信周期で送信される。ＣＳＩ−ＲＳの送信周期は、ＲＲＣ（Radio Resource Control）シグナリングにより設定される。
【０００７】
リソースブロック内のリソースエレメントへのＣＳＩ−ＲＳのマッピングを移動局に通知するために、図２に示すテーブル（CSI-RS configuration）が用いられる（非特許文献１のTable 6.10.5.2-1参照）。図２は、ＣＳＩ−ＲＳのリソース構成を指定する際に用いられるテーブルの例を示している。
【０００８】
例えば、アンテナポート数が２の場合、図１（Ａ）に示す２０種類のＣＳＩ−ＲＳのマッピングが存在する。２０種類のマッピングの中のどれが使用されるかを移動局に通知するために、図２のテーブルにおける０〜１９のいずれかのインデックス（CSI reference signal configuration）が用いられる。
【０００９】
また、ＣＳＩ−ＲＳの送信周期及びサブフレーム開始位置（サブフレームオフセット）を移動局に通知するために、図３に示すテーブル（CSI-RS subframe configuration）が用いられる（非特許文献１のTable 6.10.5.3-1参照）。図３は、ＣＳＩ−ＲＳのサブフレーム構成を指定する際に用いられるテーブルの例を示している。
【００１０】
図２のテーブルを用いて指定されたＣＳＩ−ＲＳは、５、１０、２０、４０又は８０ミリ秒の周期で、サブフレームに多重されて送信される。この周期及びサブフレーム開始位置を指定するために、図３のテーブルにおける０〜１５４のいずれかのインデックス（CSI-RS-SubframeConfig）が移動局に通知される。
【先行技術文献】
【非特許文献】
【００１１】
【非特許文献１】3GPP TS 36.211 V10.7.0 (2013-02) Sec 6.10.5
【非特許文献２】3GPP TS 36.331 V10.0.0 (2013-06) Sec 6.3.2
【発明の概要】
【発明が解決しようとする課題】
【００１２】
上記のように、３ＧＰＰ標準のリリース１０で規定されているＣＳＩ−ＲＳは最大で８アンテナポートまでをサポートしている。しかしながら、ＦＤ−ＭＩＭＯにおけるチャネル品質測定を実現するためには、１６、３２、６４等のような拡張されたアンテナポート数をサポートする必要がある。
【００１３】
本発明は、拡張されたアンテナポート数に対応可能なＣＳＩ−ＲＳの構成を実現することを目的とする。
【課題を解決するための手段】
【００１４】
本発明の一形態に係る基地局は、
複数のアンテナポートを用いて移動局と通信する基地局であって、
所定数以下のアンテナポートについて規定されたチャネル状態情報測定用の参照信号のマッピングをリソースブロック内で組み合わせることにより、複数のアンテナポートについてチャネル状態情報測定用の参照信号のマッピングを生成し、生成されたマッピングを示す情報を移動局に通知するマッピング情報通知部と、
生成されたマッピングに従ってチャネル状態情報測定用の参照信号をリソースブロック内のリソースエレメントに多重する多重部と、
チャネル状態情報測定用の参照信号を送信する送信部と、
を有することを特徴とする。
【００１５】
また、本発明の一形態に係る基地局は、
複数のアンテナポートを用いて移動局と通信する基地局であって、
複数のアンテナポートを基準となるアンテナポートの数に基づいて所定数のグループに分割し、基準となるアンテナポートについて規定されたチャネル状態情報測定用の参照信号のマッピングをサブフレーム又はリソースブロックによって異なるグループのチャネル状態情報測定用の参照信号に使用することにより、複数のアンテナポートのチャネル状態情報測定用の参照信号のマッピングを生成し、生成されたマッピングを示す情報を移動局に通知するマッピング情報通知部と、
生成されたマッピングに従ってチャネル状態情報測定用の参照信号をサブフレーム又はリソースブロックに多重する多重部と、
チャネル状態情報測定用の参照信号を送信する送信部と、
を有することを特徴とする。
【００１６】
本発明の一形態に係る移動局は、
複数のアンテナポートを有する基地局と通信する移動局であって、
所定数以下のアンテナポートについて規定されたチャネル状態情報測定用の参照信号のマッピングをリソースブロック内で組み合わせることにより生成された、複数のアンテナポートのチャネル状態情報測定用の参照信号のマッピングを示す情報を受信するマッピング情報受信部と、
受信したマッピングを示す情報に基づいて、チャネル状態情報測定用の参照信号を抽出する参照信号抽出部と、
抽出された参照信号を用いてチャネル状態情報を生成するチャネル状態情報生成部と、
生成されたチャネル状態情報を送信する送信部と、
を有することを特徴とする。
【００１７】
また、本発明の一形態に係る移動局は、
複数のアンテナポートを有する基地局と通信する移動局であって、
複数のアンテナポートを基準となるアンテナポートの数に基づいて所定数のグループに分割し、基準となるアンテナポートについて規定されたチャネル状態情報測定用の参照信号のマッピングをサブフレーム又はリソースブロックによって異なるグループのチャネル状態情報測定用の参照信号に使用することにより生成された、複数のアンテナポートのチャネル状態情報測定用の参照信号のマッピングを示す情報を受信するマッピング情報受信部と、
受信したマッピングを示す情報に基づいて、チャネル状態情報測定用の参照信号を抽出する参照信号抽出部と、
抽出された参照信号を用いてチャネル状態情報を生成するチャネル状態情報生成部と、
生成されたチャネル状態情報を送信する送信部と、
を有することを特徴とする。
【００１８】
本発明の一形態に係る参照信号送信方法は、
複数のアンテナポートを用いて移動局と通信する基地局における参照信号送信方法であって、
所定数以下のアンテナポートについて規定されたチャネル状態情報測定用の参照信号のマッピングをリソースブロック内で組み合わせることにより、複数のアンテナポートについてチャネル状態情報測定用の参照信号のマッピングを生成し、生成されたマッピングを示す情報を移動局に通知するステップと、
生成されたマッピングに従ってチャネル状態情報測定用の参照信号をリソースブロック内のリソースエレメントに多重するステップと、
チャネル状態情報測定用の参照信号を送信するステップと、
を有することを特徴とする。
【００１９】
また、本発明の一形態に係る参照信号送信方法は、
複数のアンテナポートを用いて移動局と通信する基地局における参照信号送信方法であって、
複数のアンテナポートを基準となるアンテナポートの数に基づいて所定数のグループに分割し、基準となるアンテナポートについて規定されたチャネル状態情報測定用の参照信号のマッピングをサブフレーム又はリソースブロックによって異なるグループのチャネル状態情報測定用の参照信号に使用することにより、複数のアンテナポートのチャネル状態情報測定用の参照信号のマッピングを生成し、生成されたマッピングを示す情報を移動局に通知するステップと、
生成されたマッピングに従ってチャネル状態情報測定用の参照信号をサブフレーム又はリソースブロックに多重するステップと、
チャネル状態情報測定用の参照信号を送信するステップと、
を有することを特徴とする。
【００２０】
本発明の一形態に係るチャネル品質測定方法は、
複数のアンテナポートを有する基地局と通信する移動局におけるチャネル品質測定方法であって、
所定数以下のアンテナポートについて規定されたチャネル状態情報測定用の参照信号のマッピングをリソースブロック内で組み合わせることにより生成された、複数のアンテナポートのチャネル状態情報測定用の参照信号のマッピングを示す情報を受信するステップと、
受信したマッピングを示す情報に基づいて、チャネル状態情報測定用の参照信号を抽出するステップと、
抽出された参照信号を用いてチャネル品質を測定するステップと、
を有することを特徴とする。
【００２１】
また、本発明の一形態に係るチャネル品質測定方法は、
複数のアンテナポートを有する基地局と通信する移動局におけるチャネル品質測定方法であって、
複数のアンテナポートを基準となるアンテナポートの数に基づいて所定数のグループに分割し、基準となるアンテナポートについて規定されたチャネル状態情報測定用の参照信号のマッピングをサブフレーム又はリソースブロックによって異なるグループのチャネル状態情報測定用の参照信号に使用することにより生成された、複数のアンテナポートのチャネル状態情報測定用の参照信号のマッピングを示す情報を受信するステップと、
受信したマッピングを示す情報に基づいて、チャネル状態情報測定用の参照信号を抽出するステップと、
抽出された参照信号を用いてチャネル品質を測定するステップと、
を有することを特徴とする。
【発明の効果】
【００２２】
本発明によれば、拡張されたアンテナポート数に対応可能なＣＳＩ−ＲＳの構成を実現可能になる。
【図面の簡単な説明】
【００２３】
【図１】８アンテナポート以下の場合のＣＳＩ−ＲＳのマッピング例
【図２】ＣＳＩ−ＲＳのリソース構成を指定する際に用いられるテーブルの例
【図３】ＣＳＩ−ＲＳのサブフレーム構成を指定する際に用いられるテーブルの例
【図４】本発明の実施例に係る無線通信システムの概略図
【図５】ＣＳＩ−ＲＳのマッピング例
【図６】本発明の実施例に係る基地局のブロック図
【図７】本発明の実施例に係る移動局のブロック図
【図８】ＣＳＩ−ＲＳのリソース構成を指定する際に用いられるテーブルの例
【図９】ＣＳＩ−ＲＳのマッピング例
【発明を実施するための形態】
【００２４】
本発明の実施例では、複数のアンテナポートを有する基地局（ｅＮＢ：evolved Node B）、より具体的には、拡張されたアンテナポート数（８より多いアンテナポート数）に対応可能なＣＳＩ−ＲＳの構成を実現するための基地局について説明する。また、複数のアンテナポートを有する基地局と通信する移動局（ＵＥ：User Equipment）、より具体的には、拡張されたアンテナポート数に対応可能なＣＳＩ−ＲＳを用いてチャネル品質測定を実現するための移動局についても説明する。
【００２５】
なお、ＣＳＩ−ＲＳとは、ＣＱＩ（Channel Quality Indicator）、ＰＭＩ（Precoding Matrix Indicator）、ＲＩ（Rank Indicator）のようなチャネル状態情報（ＣＳＩ）を測定するために用いられる参照信号である。また、アンテナポートとは、参照信号を送信するアンテナ素子のまとまりである。１つのアンテナポートが１つのアンテナ素子に対応する場合もあり、また、１つのアンテナポートが複数のアンテナ素子に対応する場合もある。
【００２６】
拡張されたアンテナポート数に対応可能なＣＳＩ−ＲＳを設計する際に、本発明の実施例では以下の設計思想を考慮する。
【００２７】
（Ａ）様々なアンテナポート数に対応できること
例えば、１６、３２、６４等のようなアンテナポート数だけでなく、例えば、１０、１２、１６、２４、３２、３６、４８、６４、９６、１２８等のアンテナポート数にも対応できることが望ましい。
【００２８】
（Ｂ）時間及び周波数的に各アンテナポートに割り当てられるリソースエレメントが近接していること
これは、時間及び周波数方向のチャネル変動およびＲＦ（Radio Frequency）装置の不完全性の影響を最低限に抑えるためである。
【００２９】
（Ｃ）時間的に疎に多重されていること
これは、移動局がスリープ状態から起動するための時間を最低限にし、バッテリ消費を節約するためである。
【００３０】
（Ｄ）オーバーヘッドの低減
これは、スループットへの影響を抑え、３ＧＰＰ標準のレガシーリリース（例えば８−１１）に準拠した移動局のように参照信号のシグナリングができない移動局への影響を抑えるためである。
【００３１】
本発明の実施例では、このような点を考慮して、以下のいずれかの手法により、拡張されたアンテナポート数に対応可能なＣＳＩ−ＲＳの構成を実現する。
【００３２】
（１）拡張されたアンテナポート数分のＣＳＩ−ＲＳのマッピングを新たに規定する手法
例えば、アンテナポート数が１６の場合、３ＧＰＰ標準のリリース１０で規定されているアンテナポート番号０〜７のＣＳＩ−ＲＳのマッピング（図１（Ｃ）参照）に加えて、アンテナポート番号８〜１５のＣＳＩ−ＲＳのマッピングを新たに規定する。基地局は、新たに規定されたマッピングに従って、ＣＳＩ−ＲＳをリソースブロック内のリソースエレメントに多重する。
【００３３】
（２）３ＧＰＰ標準のリリース１０で規定されているＣＳＩ−ＲＳのマッピングを組み合わせる手法
例えば、アンテナポート数が１６の場合、３ＧＰＰ標準のリリース１０で規定されているアンテナポート番号０〜７のＣＳＩ−ＲＳのマッピング（図１（Ｃ）参照）をリソースブロック内で２つ組み合わせることにより、拡張されたアンテナポート数分のＣＳＩ−ＲＳのマッピングを生成する。アンテナポート番号０〜７のＣＳＩのマッピングと、アンテナポート番号８〜１５のＣＳＩのマッピングとを示すために、図２のテーブルのインデックス（CSI reference signal configuration）が２つ用いられてもよい。基地局は、生成されたマッピングを示す情報を移動局に通知する、また、基地局は、生成されたマッピングに従って、ＣＳＩ−ＲＳをリソースブロック内のリソースエレメントに多重する。
【００３４】
（３）３ＧＰＰ標準のリリース１０で規定されているＣＳＩ−ＲＳのマッピングをサブフレーム単位又はリソースブロック単位で切り替える手法
例えば、アンテナポート数が１６の場合、基準となるマッピングとして、８アンテナポートのＣＳＩ−ＲＳのマッピング（図１（Ｃ）参照）を使用する。アンテナポート番号０〜１５は、アンテナポート番号０〜７と、アンテナポート番号８〜１５に分割される。基準となるアンテナポート番号０〜７のＣＳＩ−ＲＳのマッピングを、サブフレーム又はリソースブロックによってアンテナポート番号０〜７のＣＳＩ−ＲＳ又はアンテナポート番号８〜１５のＣＳＩ−ＲＳに使用することにより、拡張されたアンテナポート数分のＣＳＩ−ＲＳのマッピングを生成する。アンテナポートのグループがどのようにサブフレーム又はリソースブロックに割り当てられるかは、システム上で定義されてもよい。基地局は、生成されたマッピングを示す情報を移動局に通知する。また、基地局は、生成されたマッピングに従って、ＣＳＩ−ＲＳをリソースブロックに多重する。
【００３５】
それぞれの手法について、図面を参照して以下に詳細に説明する。
【００３６】
（１）拡張されたアンテナポート数分のＣＳＩ−ＲＳのマッピングを新たに規定する手法
図４に、本発明の実施例に係る無線通信システムの概略図を示す。無線通信システムは、広範囲をカバーするマクロ基地局１０と、マクロ基地局１０のエリア内またはその周辺に位置し、２次元配置したアンテナ素子を有するＦＤ−ＭＩＭＯ局２０と、移動局３０とを有する。ＦＤ−ＭＩＭＯ局２０は、８より多いアンテナ素子を有するものとする。この８より多いアンテナ素子は、８より多いアンテナポートに分類される。上記のように、１つのアンテナ素子が１つのアンテナポートに対応してもよく、また、複数のアンテナ素子が１つのアンテナポートに対応してもよい。図４では、マクロ基地局１０とＦＤ−ＭＩＭＯ局２０とが別々に配置されているが、マクロ基地局１０が８より多いアンテナ素子を有するＦＤ−ＭＩＭＯ局として構成されてもよい。また、ＦＤ−ＭＩＭＯ局２０は、２次元配置したアンテナ素子を有するものとして記載されているが、１次元配置又は３次元配置したアンテナ素子を有してもよい。
【００３７】
ＦＤ−ＭＩＭＯ局２０は、拡張されたアンテナポート数分のＣＳＩ−ＲＳのマッピングを生成し、ＣＳＩ−ＲＳのマッピング情報を移動局３０に送信する（Ｓ１）。例えば、ＦＤ−ＭＩＭＯ局２０は、アンテナポート数と、ＣＳＩ−ＲＳのマッピングを示すインデックス（CSI reference signal configuration）とを移動局３０に送信してもよい。このマッピング例については、図５を参照して以下に説明する。また、ＦＤ−ＭＩＭＯ局２０は、生成されたマッピングに従ってＣＳＩ−ＲＳをリソースブロック内のリソースエレメントに多重し、移動局３０に送信する（Ｓ２）。移動局３０は、ＣＳＩ−ＲＳのマッピング情報に従って、ＣＳＩ−ＲＳを抽出することができる。移動局３０は、ＣＳＩ−ＲＳを用いてチャネル品質を測定し、ＣＳＩを生成し、ＣＳＩをＦＤ−ＭＩＭＯ局２０に送信する（Ｓ３）。
【００３８】
図５（Ａ）にアンテナポート数が１６の場合のＣＳＩ−ＲＳのマッピング例を示す。
【００３９】
アンテナポート数が１６の場合においても、アンテナポート数が８の場合と同様にＣＳＩ−ＲＳのマッピングを生成する。アンテナポート数が８の場合には、図１（Ｃ）に示すように、アンテナポート番号（０，１）のＣＳＩ−ＲＳが１つのサブキャリアに連続して配置され、アンテナポート番号（４，５）のＣＳＩ−ＲＳが次のサブキャリアに連続して配置される。更に、アンテナポート番号（０，１）のＣＳＩ−ＲＳと同じシンボル位置に、アンテナポート番号（２，３）のＣＳＩ−ＲＳが１つのサブキャリアに連続して配置され、アンテナポート番号（６，７）のＣＳＩ−ＲＳが次のサブキャリアに連続して配置される。
【００４０】
アンテナポート数が１６の場合、例えば、上記のアンテナポート番号（０，１，４，５）及び番号（２，３，６，７）のＣＳＩ−ＲＳの配置をアンテナポート番号８〜１５のＣＳＩ−ＲＳに拡張する。具体的には、アンテナポート番号（８，９）のＣＳＩ−ＲＳをアンテナポート番号（０，１）のＣＳＩ−ＲＳの次のシンボルに連続して配置する。そして、アンテナポート番号（８，９）のＣＳＩ−ＲＳの次のサブキャリアにアンテナポート番号（１０，１１）のＣＳＩ−ＲＳを連続して配置する。更に、アンテナポート番号（１２，１３）のＣＳＩ−ＲＳをアンテナポート番号（２，３）のＣＳＩ−ＲＳの次のシンボルに連続して配置する。そして、アンテナポート番号（１２，１３）のＣＳＩ−ＲＳの次のサブキャリアにアンテナポート番号（１４，１５）のＣＳＩ−ＲＳを連続して配置する。
【００４１】
なお、アンテナポート数が１６の場合のＣＳＩ−ＲＳのマッピングは、図５（Ａ）に示すものに限定されない。ＣＳＩ−ＲＳは、上記の設計思想（Ａ）〜（Ｄ）を考慮して、例えば、図５（Ｂ）のように配置されてもよい。
【００４２】
図５（Ｃ）にアンテナポート数が３２の場合のＣＳＩ−ＲＳのマッピング例を示す。
【００４３】
アンテナポート数が３２の場合も同様に、アンテナポート数が８の場合のアンテナポート番号（０，１，４，５）及び（２，３，６，７）のＣＳＩ−ＲＳの配置をアンテナポート番号８〜３１のＣＳＩ−ＲＳに拡張する。
【００４４】
具体的には、アンテナポート数が１６の場合と同様に、アンテナポート番号０〜１５のＣＳＩ−ＲＳを配置する。そして、アンテナポート番号（０，１）のＣＳＩ−ＲＳと同じシンボル位置に、アンテナポート番号（１６，１７）のＣＳＩ−ＲＳを１つのサブキャリアに連続して配置し、アンテナポート番号（２０，２１）のＣＳＩ−ＲＳを次のサブキャリアに連続して配置する。更に、アンテナポート番号（２４，２５）のＣＳＩ−ＲＳをアンテナポート番号（１６，１７）のＣＳＩ−ＲＳの次のシンボルに連続して配置する。そして、アンテナポート番号（２４，２５）のＣＳＩ−ＲＳの次のサブキャリアにアンテナポート番号（２６，２７）のＣＳＩ−ＲＳを連続して配置する。同様に、アンテナポート番号（０，１）のＣＳＩ−ＲＳと同じシンボル位置に、アンテナポート番号（１８，１９）のＣＳＩ−ＲＳを１つのサブキャリアに連続して配置し、アンテナポート番号（２２，２３）のＣＳＩ−ＲＳを次のサブキャリアに連続して配置する。更に、アンテナポート番号（２８，２９）のＣＳＩ−ＲＳをアンテナポート番号（１８，１９）のＣＳＩ−ＲＳの次のシンボルに連続して配置する。そして、アンテナポート番号（２８，２９）のＣＳＩ−ＲＳの次のサブキャリアにアンテナポート番号（３０，３１）のＣＳＩ−ＲＳを連続して配置する。
【００４５】
なお、アンテナポート数が３２の場合のＣＳＩ−ＲＳのマッピングは、図５（Ｂ）に示すものに限定されない。ＣＳＩ−ＲＳは、上記の設計思想（Ａ）〜（Ｄ）を考慮して別のリソースエレメントに配置されてもよい。
【００４６】
図５（Ａ）〜図５（Ｃ）のＣＳＩ−ＲＳの配置によれば、アンテナポート数が増加しても、アンテナポート数が８の場合のＣＳＩ−ＲＳの位置関係を使用することで、移動局におけるチャネル推定の簡略化を図ると共に、アンテナポート数の違いによるアンテナ推定精度のばらつきを抑えることが可能になる。
【００４７】
一方、図５（Ａ）〜図５（Ｃ）に示す手法では、ＰＤＳＣＨ（Physical Downlink Shared Channel）用のリソースエレメントにＣＳＩ−ＲＳが配置される。これらのリソースエレメントに他の参照信号又は物理チャネルが多重される可能性を考慮して、アンテナポート数が８より大きくなっても、図１に示すアンテナポート番号０〜７のＣＳＩ−ＲＳのリソースエレメントを使用するようにＣＳＩ−ＲＳをマッピングしてもよい。図５（Ｄ）にアンテナポート数が３２の場合のＣＳＩ−ＲＳのマッピング例を示す。
【００４８】
図１（Ｃ）に示すように、アンテナポート数が８の場合、５種類のマッピングが存在する。すなわち、８×５＝４０リソースエレメントがＣＳＩ−ＲＳとして使用できる。これらのリソースエレメントに、図５（Ｄ）に示すようにアンテナポート番号０〜３１のＣＳＩ−ＲＳを配置してもよい。
【００４９】
また、図５（Ａ）〜図５（Ｃ）に示す手法では、アンテナポート数の増加に伴い、ＣＳＩ−ＲＳのオーバーヘッドが大きくなる。例えば、アンテナポート数が６４の場合、ＰＵＣＣＨ（Physical Uplink Control Channel）、ＣＲＳ（Cell-specific Reference Signal）、ＤＭ−ＲＳ（Demodulation Reference Signal）及びＣＳＩ−ＲＳのオーバーヘッドは８３％となる。この場合、ＣＳＩ−ＲＳの含まれるリソースブロックには、データ信号を送信する領域がほとんど存在しなくなるため、当該リソースブロックにおいてデータ信号を送信しないことを前提として、ＣＳＩ−ＲＳのマッピングを規定してもよい。例えば、ＤＭ−ＲＳが配置されるリソースエレメント（図１におけるDMRS(Rel-9/10)）、アンテナポート番号３及び４のＣＲＳが配置されるリソースエレメント（図１におけるCRS port#3, 4）、リリース８用のＤＭ−ＲＳ（図１におけるDMRS(Rel-8) port#5）等に、ＣＳＩ−ＲＳが配置されてもよい。
【００５０】
なお、図５には、周波数多重（ＦＤＭ：Frequency Division Multiplexing）及び時間多重（ＴＤＭ：Time Division Multiplexing）でＣＳＩ−ＲＳをリソースエレメントに多重しているが、符号分割多重（ＣＤＭ：Code Division Multiplexing）と組み合わせて多重してもよい。例えば、あるアンテナポートのＣＳＩ−ＲＳが他のアンテナポートのＣＳＩ−ＲＳと符号分割多重され、ＣＳＩ−ＲＳに確保されたリソースエレメントに多重されてもよい。
【００５１】
次に、基地局（ＦＤ−ＭＩＭＯ局）２０及び移動局３０の構成について説明する。
【００５２】
図６に、本発明の実施例に係る基地局２０のブロック図を示す。基地局２０は、ＣＳＩ−ＲＳ生成部２０１と、ＣＳＩ−ＲＳマッピング情報格納部２０３と、ＣＳＩ−ＲＳマッピング情報通知部２０５と、多重部２０７と、送信部２０９と、受信部２１１と、ＣＳＩ処理部２１３とを有する。
【００５３】
ＣＳＩ−ＲＳ生成部２０１は、チャネル状態情報測定用の参照信号（ＣＳＩ−ＲＳ）を生成する。
【００５４】
ＣＳＩ−ＲＳマッピング情報格納部２０３は、ＣＳＩ−ＲＳがリソースブロック内のどのリソースエレメントに多重されるかを示すマッピング情報を格納する。ＣＳＩ−ＲＳマッピング情報格納部２０３は、例えば、図５（Ａ）〜図５（Ｄ）に示すようなマッピング情報を格納する。
【００５５】
ＣＳＩ−ＲＳマッピング情報通知部２０５は、ＣＳＩ−ＲＳのマッピングを示す情報を移動局に通知する。例えば、図５（Ａ）のような１６アンテナポートの場合の２種類のマッピング情報がシステム上で定義されている場合、ＣＳＩ−ＲＳマッピング情報通知部２０５は、アンテナポート数を示す情報と、ＣＳＩ−ＲＳのマッピングを示すインデックス（CSI reference signal configuration）とが移動局に通知されてもよい。
【００５６】
多重部２０７は、ＣＳＩ−ＲＳマッピング情報格納部２０３に格納されたマッピング情報に従って、ＣＳＩ−ＲＳをリソースブロック内のリソースエレメントに多重する。また、データ及び制御情報等も符号化、レートマッチング及び変調等を施された後、リソースブロック内のリソースエレメントに多重される。
【００５７】
なお、拡張されたアンテナポートのＣＳＩ−ＲＳにより、ＰＤＳＣＨ等に割り当てられていたリソースエレメントがＣＳＩ−ＲＳに用いられることになる。例えば、３ＧＰＰ標準のリリース１２に準拠した移動局は、新たに規定されたＣＳＩ−ＲＳのマッピングを基地局からのシグナリングにより認識することができる。従って、多重部２０７は、ＣＳＩ−ＲＳを避けてＰＤＳＣＨを多重することが可能である。基地局２０のレートマッチング部（図示せず）においてＣＳＩ−ＲＳのマッピングに対応してデータ及び制御情報にレートマッチングを適用することで、データ及び制御情報の特性劣化を低減することが可能になる。一方、３ＧＰＰ標準のリリース８〜１１に準拠した移動局は、新たに規定されたＣＳＩ−ＲＳのマッピングを認識することができない。従って、多重部２０７は、パンクチャリングを適用してもよい。
【００５８】
送信部２０９は、移動局に信号を送信する。特に、送信部２０９は、ＣＳＩ−ＲＳのマッピングを示す情報を移動局に送信し、また、データ及び制御情報等と共にリソースブロック内のリソースエレメントに多重されたＣＳＩ−ＲＳを移動局に送信する。
【００５９】
受信部２１１は、移動局から信号を受信する。特に、受信部２１１は、移動局からＣＳＩを受信する。
【００６０】
ＣＳＩ処理部２１３は、受信したＣＳＩを使用し、移動局にデータを送信する際のスケジューリング等に利用する。
【００６１】
図７に、本発明の実施例に係る移動局３０のブロック図を示す。移動局３０は、受信部３０１と、ＣＳＩ−ＲＳ抽出部３０３と、ＣＳＩ生成部３０５と、送信部３０７とを有する。
【００６２】
受信部３０１は、基地局から通知されたマッピング情報を受信する。また、受信部３０１は、リソースブロック内のリソースエレメントに多重されたＣＳＩ−ＲＳ、データ、制御情報等を受信する。
【００６３】
ＣＳＩ−ＲＳ抽出部３０３は、基地局から通知されたマッピング情報に基づいて、ＣＳＩ−ＲＳを抽出する。
【００６４】
ＣＳＩ生成部３０５は、抽出されたＣＳＩ−ＲＳを用いてチャネル品質を測定し、チャネル品質を示すＣＱＩと、プリコーディング行列を示すＰＭＩと、信号系列数を示すＲＩとを含むＣＳＩを生成する。
【００６５】
送信部３０７は、生成されたＣＳＩを基地局に送信する。
【００６６】
（２）３ＧＰＰ標準のリリース１０で規定されているＣＳＩ−ＲＳのマッピングを組み合わせる手法
この手法においても、無線通信システムは図４と同様に構成される。ただし、拡張されたアンテナポート数分のＣＳＩ−ＲＳのマッピングは、図１に示す所定数以下のアンテナポートについて規定されたＣＳＩ−ＲＳのマッピングを組み合わせることにより生成する。
【００６７】
例えば、アンテナポート数が３２の場合、図１（Ｃ）に示す８アンテナポートのマッピングを４つ組み合わせることにより、３２アンテナポート分のＣＳＩ−ＲＳが確保できる。８アンテナポートの場合には、０〜４のインデックス（CSI reference signal configuration）で示される５種類のＣＳＩ−ＲＳのマッピングが可能である。例えば、このうち０〜３を用いることで、３２アンテナポート分のＣＳＩ−ＲＳが確保できる。従って、ＦＤ−ＭＩＭＯ局２０は、アンテナポート数を示す２ビットと、図２のテーブルにおける０、１、２、３のインデックスを移動局３０に通知すればよい。なお、０、１、２、３のインデックスは、個別に４つのインデックスとして通知されてもよく、（０，３）という区間で通知されてもよい。
【００６８】
通知するインデックスと、アンテナポートとの関係は、明示的に移動局３０に通知されてもよく、予め決められた規則に従うものとしてもよい。例えば、図２のテーブルにおける０のインデックスがアンテナポート番号０〜７に割り当てられ、１のインデックスがアンテナポート番号８〜１５に割り当てられ、２のインデックスがアンテナポート番号１６〜２３に割り当てられ、３のインデックスがアンテナポート番号２４〜３１に割り当てられるという情報を移動局３０に通知してもよい。或いは、０、１、２、３というインデックスの順に、アンテナポート番号０〜７、８〜１５、１６〜２３、２４〜３１に割り当てるという規則を基地局２０及び移動局３０にて予め設定してもよい。
【００６９】
例えば、アンテナポート数が１０の場合、図１（Ａ）に示す２アンテナポートのマッピングと、図１（Ｃ）に示す８アンテナポートのマッピングとを組み合わせることにより、１０アンテナポート分のＣＳＩ−ＲＳが確保できる。２アンテナポートの場合には、０〜１９のインデックスで示される２０種類のＣＳＩ−ＲＳのマッピングが可能であり、８アンテナポートの場合には、０〜５のインデックスで示される５種類のＣＳＩ−ＲＳのマッピングが可能である。例えば、このうち２アンテナポート用のインデックス０と、８アンテナポート用のインデックス１とを組み合わせることで、１０アンテナポート分のＣＳＩ−ＲＳが確保できる。従って、基地局２０は、２のアンテナポート数を示す２ビットと、図２のテーブルにおける０のインデックスと、８のアンテナポート数を示す２ビットと、図２のテーブルにおける１のインデックスとを移動局に通知すればよい。
【００７０】
このように、図１に示す１、２、４、８アンテナポート用のＣＳＩ−ＲＳのマッピングを組み合わせることにより、様々なアンテナポート数に対応可能になる。
【００７１】
なお、１、２、４、８アンテナポート用のＣＳＩ−ＲＳのマッピングの組み合わせは、ＣＳＩ計算の際のＣＳＩプロセス（CSI Process）と共に移動局に通知されてもよい。ＣＳＩプロセスとは、３ＧＰＰ標準のリリース１１において規定された移動局によるＣＳＩフィードバックの詳細を示す情報である。ＣＳＩプロセスは、図８に示すように、ＣＳＩ計算に用いる信号電力測定用リソース（CSI-RS resource）と、干渉信号測定用リソース（CSI-IM（CSI-interference management） resource）との組み合わせにより規定される。信号電力送信用リソースとは、自セル内の信号電力を測定するためのリソース構成を示すインデックスであり、干渉信号測定用リソースとは、自セル内の信号が存在せず、他セル内の信号電力測定のためのリソース構成を示すインデックスである。リリース１１では、ＣＳＩプロセス毎に１つの信号電力測定用リソースと１つの干渉信号測定用リソースとを指定できる。ＣＳＩプロセス毎に複数の信号電力測定用リソース（例えば、＃１，＃２）と複数の干渉信号測定用リソース（例えば、＃１，＃２）とを指定することにより、拡張されたアンテナポート数分のＣＳＩ−ＲＳのマッピングが移動局に通知されてもよい。
【００７２】
基地局２０及び移動局３０は、以下の点を除き、図６及び図７と同様に構成される。
【００７３】
ＣＳＩ−ＲＳマッピング情報格納部２０３は、図１（Ａ）〜（Ｃ）に示すようなマッピング情報を格納する。
【００７４】
ＣＳＩ−ＲＳマッピング情報通知部２０５は、ＣＳＩ−ＲＳのマッピングを示す情報を移動局に通知する。例えば、３２アンテナポートに対して０〜３のインデックスで示される４種類のＣＳＩ−ＲＳのマッピングを組み合わせる場合、ＣＳＩ−ＲＳマッピング情報通知部２０５は、３２のアンテナポート数を示す情報と、０〜３のインデックスとを通知してもよい。例えば、１０アンテナポートに対して２アンテナポート用の０のインデックスで示されるＣＳＩのマッピングと、８アンテナポート用の１のインデックスで示されるＣＳＩのマッピングとを組み合わせる場合、ＣＳＩ−ＲＳマッピング情報通知部２０５は、２、８のアンテナポート数を示す情報と、０、１のインデックスとを通知してもよい。また、マッピング情報は、ＣＳＩプロセスと共に通知されてもよい。
【００７５】
（３）３ＧＰＰ標準のリリース１０で規定されているＣＳＩ−ＲＳのマッピングをサブフレーム単位又はリソースブロック単位で切り替える手法
この手法においても、無線通信システムは図４と同様に構成される。ただし、拡張されたアンテナポート数分のＣＳＩ−ＲＳを確保するため、ＦＤ−ＭＩＭＯ局２０のアンテナポートを基準となるアンテナポートの数に基づいて所定数のグループに分割する。そして、図１に示す基準となるアンテナポートについて規定されたＣＳＩ−ＲＳのマッピングをサブフレーム又はリソースブロックによって異なるグループのＣＳＩ−ＲＳに使用することにより、拡張されたアンテナポート数分のＣＳＩ−ＲＳのマッピングを生成する。
【００７６】
図９（Ａ）は、アンテナポート数が８の場合のＣＳＩ−ＲＳのマッピング例を示している。図３を参照して説明した通り、ＣＳＩ−ＲＳは、５、１０、２０、４０又は８０ミリ秒（サブフレーム）毎に送信される。図９（Ａ）は、ＣＳＩ−ＲＳが５ミリ秒毎に送信される場合を示している。
【００７７】
例えば、アンテナポート数が３２の場合、基準となるアンテナポートの数を８とすると、アンテナポート番号０〜７と、アンテナポート番号８〜１５と、アンテナポート番号１６〜２３と、アンテナポート番号２４〜３１とに分割できる。８アンテナポートのＣＳＩ−ＲＳのマッピングを、４つのグループで交互に使用して４つのサブフレーム又は４つのリソースブロックで送信することにより、３２アンテナポート分のＣＳＩ−ＲＳが確保できる。アンテナポートのグループがどのようにサブフレーム又はリソースブロックに割り当てられるかは、システム上で定義されてもよい。例えば、３２アンテナポートのＣＳＩ−ＲＳは、図９（Ｂ）に示すように、８アンテナポートについて規定された送信間隔（例えば、５ミリ秒）にて、アンテナポート番号０〜７、アンテナポート番号８〜１５、アンテナポート番号１６〜２３、アンテナポート番号２４〜３１の順に送信されてもよい。例えば、３２アンテナポートのＣＳＩ−ＲＳは、図９（Ｃ）に示すように、８アンテナポートについて規定された送信間隔（例えば、５ミリ秒）にて、アンテナポート番号０〜７、アンテナポート番号８〜１５、アンテナポート番号１６〜２３、アンテナポート番号２４〜３１のＣＳＩ−ＲＳを周波数単位で多重することにより送信されてもよい。例えば、図９（Ｄ）に示すように、８アンテナポートについて規定された送信間隔（例えば、５ミリ秒）にて、アンテナポート番号０〜７のＣＳＩ−ＲＳを送信し、同じ送信間隔で、アンテナポート番号８〜１５、アンテナポート番号１６〜２３、アンテナポート番号２４〜３１のＣＳＩ−ＲＳを順に送信してもよい。図９（Ｄ）において、アンテナポート番号０〜７、アンテナポート番号８〜１５、アンテナポート番号１６〜２３、アンテナポート番号２４〜３１のＣＳＩ−ＲＳは連続したサブフレームに割り当てられているが、所定の間隔を空けたサブフレームに割り当てられてもよい。
【００７８】
なお、図９には、周波数多重（ＦＤＭ）及び時間多重（ＴＤＭ）でＣＳＩ−ＲＳをリソースブロックに多重しているが、符号分割多重（ＣＤＭ）と組み合わせて多重してもよい。例えば、あるアンテナポートのＣＳＩ−ＲＳが他のアンテナポートのＣＳＩ−ＲＳと符号分割多重され、ＣＳＩ−ＲＳに確保されたリソースブロックに多重されてもよい。
【００７９】
例えば、ＦＤ−ＭＩＭＯ局２０のアンテナポート数が３２の場合、アンテナポート数（３２）と、基準となるアンテナポートの数（８）との関係から、拡張ファクタを３２／８＝４として定義することができる。ＦＤ−ＭＩＭＯ局２０は、図２に示すテーブル（CSI-RS configuration）のインデックス（CSI reference signal configuration）に加えて拡張ファクタを移動局３０に通知してもよい。拡張ファクタにより、移動局３０は、基準となるアンテナポートのＣＳＩ−ＲＳのマッピングが、サブフレーム又はリソースブロックによって異なるアンテナポートのグループに使用されることを認識できる。
【００８０】
また、どのサブフレームがＣＳＩ−ＲＳに使用されるかを示すために、図３に示すサブフレーム構成を移動局３０に複数回通知してもよい。例えば、１回目に通知されたサブフレームが、アンテナポート番号０〜７のＣＳＩ−ＲＳに使用され、２回目に通知されたサブフレームが、アンテナポート番号８〜１５のＣＳＩ−ＲＳに使用され、３回目に通知されたサブフレームが、アンテナポート番号１６〜２３のＣＳＩ−ＲＳに使用され、４回目に通知されたサブフレームが、アンテナポート番号２４〜３１のＣＳＩ−ＲＳに使用されるとしてもよい。或いは、基準となるアンテナポートのＣＳＩ−ＲＳのマッピングについて図３に示すサブフレーム構成を移動局に通知し、基準となるアンテナポート番号０〜７に対する、アンテナポート番号８〜１５、アンテナポート番号１６〜２３、アンテナポート番号２４〜３１の送信タイミング（オフセット）を移動局に通知してもよい。
【００８１】
アンテナポートのＣＲＩ−ＲＳが多重されるサブフレーム又はリソースブロックとアンテナポートとの関係は、明示的に移動局に通知されてもよく、予め決められた規則に従うものとしてもよい。例えば、確保されたサブフレーム又はリソースブロックの順に、アンテナポート番号０〜７、８〜１５、１６〜２３、２４〜３１のＣＲＩ−ＲＳが割り当てられてもよい。
【００８２】
基地局２０及び移動局３０は、以下の点を除き、図６及び図７と同様に構成される。
【００８３】
ＣＳＩ−ＲＳマッピング情報格納部２０３は、図１（Ａ）〜（Ｃ）に示すようなマッピング情報を格納する。
【００８４】
ＣＳＩ−ＲＳマッピング情報通知部２０５は、ＣＳＩ−ＲＳのマッピングを示す情報を移動局に通知する。例えば、基準となるアンテナポートの数が８の場合のＣＳＩ−ＲＳのマッピングを図９（Ｂ）〜図９（Ｄ）に示すように、４つのアンテナポートのグループで交互に使用して４つのサブフレーム又は４つのリソースブロックで送信する場合、ＣＳＩ−ＲＳマッピング情報通知部２０５は、基準となるアンテナポートのサブフレーム構成を示すインデックス（CSI reference signal configuration）と拡張ファクタとを移動局に通知してもよい。また、ＣＳＩ−ＲＳマッピング情報通知部２０５は、図３に示すテーブル（CSI-RS subframe configuration）のインデックス（CSI-RS-SubframeConfig）を複数回移動局に通知してもよい。或いは、ＣＳＩ−ＲＳマッピング情報通知部２０５は、基準となるアンテナポートのサブフレーム構成を示すインデックス（CSI-RS-SubframeConfig）と、基準となるアンテナポートのサブフレーム構成からの送信タイミング（オフセット）とを移動局に通知してもよい。
【００８５】
なお、（３）の説明において、３ＧＰＰ標準のリリース１０で規定されているＣＳＩ−ＲＳのマッピングをサブフレーム単位又はリソースブロック単位で切り替えているが、（１）又は（２）のマッピングをサブフレーム単位又はリソースブロック単位で切り替えてもよい。例えば、アンテナポート数が３２の場合、１６アンテナポート分のリソースブロック構成を（１）又は（２）の手法に従って生成し、生成された１６アンテナポートのＣＳＩ−ＲＳのマッピングを、２つのアンテナポートのグループで交互に使用して２つのサブフレーム又は２つのリソースブロックで送信してもよい。
【００８６】
なお、ＬＴＥにおけるアクセスポート番号は、１５以降の番号が付与されるが、上記の実施例においては、便宜上０からの通番を付与している。
【００８７】
（４）本発明の実施例の効果
上記のように、本発明の実施例によれば、様々なアンテナポート数に対応可能なＣＳＩ−ＲＳの構成を実現することが可能になる。また、８アンテナポート以下の場合のＣＳＩ−ＲＳの構成を考慮することにより、既存端末への影響を低減することが可能になる。
【００８８】
また、８アンテナポート以下の場合のＣＳＩ−ＲＳの構成を組み合わせることにより、移動局へのシグナリング量を低減することが可能になる。
【００８９】
説明の便宜上、本発明の実施例に係る基地局及び移動局は機能的なブロック図を用いて説明しているが、本発明の実施例に係る基地局及び移動局は、ハードウェア、ソフトウェア又はそれらの組み合わせで実現されてもよい。また、各機能部が必要に応じて組み合わせて使用されてもよい。また、本発明の実施例に係る方法は処理の流れを示すフローチャートを用いて説明しているが、本発明の実施例に係る方法は、実施例に示す順序と異なる順序で実施されてもよい。
【００９０】
以上、拡張されたアンテナポート数に対応可能なＣＳＩ−ＲＳの構成を実現するための手法について説明したが、本発明は、上記の実施例に限定されることなく、特許請求の範囲内において、種々の変更・応用が可能である。
【符号の説明】
【００９１】
１０    マクロ基地局
２０    基地局（ＦＤ−ＭＩＭＯ局）
２０１  ＣＳＩ−ＲＳ生成部
２０３  ＣＳＩ−ＲＳマッピング情報格納部
２０５  ＣＳＩ−ＲＳマッピング情報通知部
２０７  多重部
２０９  送信部
２１１  受信部
２１３  ＣＳＩ処理部
３０    移動局
３０１  受信部
３０３  ＣＳＩ−ＲＳ抽出部
３０５  ＣＳＩ生成部
３０７  送信部
【図１】
2015070335.tif 000003
【図２】
2015070335.tif 000004
【図３】
2015070335.tif 000005
【図４】
2015070335.tif 000006
【図５】
2015070335.tif 000007
【図６】
2015070335.tif 000008
【図７】
2015070335.tif 000009
【図８】
2015070335.tif 000010
【図９】
2015070335.tif 000011